(57)【特許請求の範囲】
【請求項１】
外箱に内箱を昇降可能に設け、前記内箱の下降時にその内箱の前面が前記外箱から全体的に表出し得る如く構成し、かつ前記外箱は前記内箱の上昇収納時にその内箱の前面を覆う扉を有し、この扉は前記外箱に連結したヒンジを介して上端を支点として下端側を前後方向に回動し得る構成とした扉付き昇降キャビネットにおいて、前記扉と前記内箱とを複数のアームよりなるリンクによって連結し、前記扉が前記内箱の昇降に伴ってその上昇時には閉方向に、かつ下降時には開方向にそれぞれ回動できる構成とし、かつ前記リンクは、前記内箱が下降するストロークの途中位置で扉を最大開き角度位置で停止させる構成としたことを特徴とする扉付き昇降キャビネット。
【請求項２】
リンクを外箱と内箱との間に形成される側方空間に配設した請求項１記載の扉付き昇降キャビネット。
【請求項３】
ヒンジは一定以上のトルク作用時にのみ扉の開閉を許容する回転抵抗付きのトルクヒンジである請求項１または２記載の扉付き昇降キャビネット。
【請求項４】
内箱を昇降させる電動式昇降機構を備え、この電動式昇降機構はリンクを介して扉にトルクヒンジの回転抵抗を超える昇降力を付与できる構成とした請求項３記載の扉付き昇降キャビネット。
【請求項５】
リンクは扉の開方向動作をアームの押出し力により、また閉方向動作をアームの引張力により行なう構成を有し、扉閉状態を引張力により保持するものである請求項１から４までのいずれかに記載の扉付き昇降キャビネット。
【発明の詳細な説明】
【０００１】
【発明の属する技術分野】
本発明はシステムキシッチンの天井ユニット等に適用する扉付き昇降ユニットに係り、特に扉が上端を支点として開閉する構成のものにおいて扉の挙動に対する安全対策を施した扉付き昇降キャビネットに関する。
【０００２】
【従来の技術】
従来、この種の扉付き昇降キャビネットとして、外箱に内箱を昇降可能に設け、内箱の下降時にその内箱の前面が外箱から全体的に表出し得る如く構成し、外箱は内箱の上昇収納時にその内箱の前面を覆う扉を有し、この扉は外箱に連結したヒンジを介して上端を支点として下端側を前後方向に回動し得る構成としたものが知られている。
【０００３】
このような構成のものでは、内箱の昇降時に扉と前方突出状態の収納物とが干渉する危険を防止する手段が必要である。例えば食器乾燥機に適用した場合、扉の開度が不十分で、かつ内箱に収納した食器が前方に飛出している状態で内箱を上昇させると、食器が扉に衝突して破損する危険がある。
【０００４】
そのため、例えば特許第２９１２８９３号として開示された技術においては、扉の開閉状態を検出する扉センサを設け、センサ入力による制御装置で扉開放状態下でのみ安全に内箱の昇降を行なわせる等の工夫を施している。
【０００５】
【発明が解決しようとする課題】
ところが、扉センサによる扉開度の検出およびセンサ出力に基づく制御装置を設けることは、制御構成の複雑化、高コスト化等を招き、またセンサ設定の困難性から精度の信頼性に欠けたり、故障等による不具合も生じ易い。また、内箱の前方に突出した食器等を内方に押し込む等の配置修復には、常に人手を要するため取扱い上の面倒もある。
【０００６】
なお、従来の昇降キャビネットにおいては通常、扉の開閉操作を手操作より行う構造となっているが、高所に固定配置された外箱に取付けられた扉の開閉操作は利用者の背の高さにより困難な場合も多い。また、電動手段等によって扉を自動的に開閉させることも考えられるが、扉操作のみの単独機能では機能性に乏しく、部品点数の増大および構成のさらなる複雑化等を招く。
【０００７】
また、従来ではマグネット等を用いたロック機構により扉を閉状態に保持する構造等が知られているが、地震等の際の大荷重に対しては扉閉状態を必ずしも確実に保持することができず、食器等が外部に飛散する可能性がある。
【０００８】
本発明はこのような事情に鑑みてなされたもので、キャビネット内の空間を有効に利用した簡易な構成によって内箱の昇降と扉の開閉とを連動させることができ、かつ複雑な手段を用いる必要なく扉と内箱前方に突出する収納物との干渉を確実に防止することができるとともに、内箱上昇の際に扉を利用して収納物の押し込み作用等も行なえ、しかも地震等の際に扉の閉状態を確実に保持でき収納物の飛散防止も有効に図れる扉付き昇降キャビネットを提供することを目的とする。
【０００９】
【課題を解決するための手段】
上記の目的を達成するため、請求項１に係る発明では、外箱に内箱を昇降可能に設け、前記内箱の下降時にその内箱の前面が前記外箱から全体的に表出し得る如く構成し、かつ前記外箱は前記内箱の上昇収納時にその内箱の前面を覆う扉を有し、この扉は前記外箱に連結したヒンジを介して上端を支点として下端側を前後方向に回動し得る構成とした扉付き昇降キャビネットにおいて、前記扉と前記内箱とを複数のアームよりなるリンクによって連結し、前記扉が前記内箱の昇降に伴ってその上昇時には閉方向に、かつ下降時には開方向にそれぞれ回動できる構成とし、かつ前記リンクは、前記内箱が下降するストロークの途中位置で扉を最大開き角度位置で停止させる構成としたことを特徴とする扉付き昇降キャビネットを提供する。
【００１０】
請求項２に係る発明では、リンクを外箱と内箱との間に形成される側方空間に配設した請求項１記載の扉付き昇降キャビネットを提供する。
【００１１】
請求項３に係る発明では、ヒンジは一定以上のトルク作用時にのみ扉の開閉を許容する回転抵抗付きのトルクヒンジである請求項１または２記載の扉付き昇降キャビネットを提供する。
【００１２】
請求項４に係る発明では、内箱を昇降させる電動式昇降機構を備え、この電動式昇降機構はリンクを介して扉にトルクヒンジの回転抵抗を超える昇降力を付与できる構成とした請求項３記載の扉付き昇降キャビネットを提供する。
【００１３】
請求項５に係る発明では、リンクは扉の開方向動作をアームの押出し力により、また閉方向動作をアームの引張力により行なう構成を有し、扉閉状態を引張力により保持するものである請求項１から４までのいずれかに記載の扉付き昇降キャビネットを提供する。
【００１４】
【発明の実施の形態】
以下、本発明に係る扉付き昇降キャビネットの一実施形態について図面を参照して説明する。なお、本実施形態はシステムキッチンにおける天井設置式の昇降式食器乾燥機として適用したものである。
【００１５】
図１は、昇降式食器乾燥機の全体構成を示す斜視図であり、図２はその前面を開放して示す正面図である。図３は側断面図であり、図４は横断面図である。図５および図６は作用説明図である。
【００１６】
図１〜図４に示すように、本実施形態の昇降式食器乾燥機は、基本的に、天井またはその付近に設置される外箱１と、この外箱１に昇降可能に設けられた内箱とを有し、外箱１の前面に扉３が設けられている。
【００１７】
外箱１は、天板１ａ、前垂板１ｂ、両側板１ｃ、背板１ｄ等により構成され、下端全面および前面の前垂板１ｂ以外の部分が開口している。この外箱１の両側板１ｃの内面に、内箱２を昇降ガイドするための縦長なガイドレール４がそれぞれ設けられ、天板１ａの内面（下面）には部品支持用のフレーム５が設けられている。この外箱１の前垂板１ｂに、扉３がその上端縁部の例えば３個所に設けたヒンジ６を介して連結され、これにより扉３は上端縁部を支点として下端側を前後方向に回動し得る構成となっている。なお、ヒンジ６はトルクヒンジであり、その作用等については後に説明する。
【００１８】
内箱２は食器乾燥機本体を構成するもので、上板２ａ、下板２ｂ、両側板２ｃおよび背板２ｄにより前面が開口する形状とされ、内部に上下２段の食器等の受具７を有している。この内箱２の両側板２ｃの外面間の寸法が、外箱１の両側板１ｃの内面間の寸法よりも僅かに小さく設定され、これら各側板１ｃ，２ｃ間にそれぞれ縦長な幅狭い側方空間８が形成されている。なお、内箱２の高さは外箱１より十分小さく、内箱２上方に機器スペースが形成されるようになっている。
【００１９】
内箱２は外箱１に昇降機構９により昇降可能に支持されている。この昇降機構９は例えばベルト式昇降機構であり、外箱１のフレーム５に取付けたモータ１０と、このモータ１０にギア等の動力伝達機構１１を介して連結された巻取りドラム１２と、このドラムに巻装されるベルト１３と、ベルト１３を下方に案内するベルトローラ１４と、内箱２の天板２ａにブラケット１５を介して支持された内箱吊上げ用の吊上げローラ１６と、ベルト１３の端部をフレーム５部位で止着する止着具１７とを有する。
【００２０】
この昇降機構９のベルト１３は例えば２本構成であり、その各ベルト１３により内箱２の左右２箇所が吊上げられる方式となっている。各ベルト１３は、一つの巻き取りドラム１２に同時に巻上げられ、それにより内箱２が常時一定姿勢で昇降することができる。内箱２の両側板２ｃの外面部にはそれぞれスライダ４ａが設けられ、このスライダ４ａが外箱１のガイドレール４に案内されることにより、確実に内箱２の昇降時の姿勢が安定する。
【００２１】
内箱２の天板２ａ上には送風機１８、ヒータ１９およびダクト２０が設けられ、送風口２１を介して内箱２に温風が供給されるようになっている。なお、内箱２の内底部には傾斜したドレン受け２２が設けられ、このドレン受けで集められるドレンは排水口２３を介して、底板２ｂに着脱可能に設けたドレン貯め２４に貯留されるようになっている。
【００２２】
また、内箱２の下部前面にランプ、入力スイッチ等２５を有するパネル２６が設けられ、さらに内箱２の底部隅部分に上下動操作用の操作レバー２７が設けられている。操作レバー２７は図３に示すように、内箱２に設けられた支点ピン２８によって回動可能に支持され、アクチュエータ２９を介して１対のリミットスイッチ３０，３１を操作できるようになっている。パネル２６およびリミットスイッチ３０，３１は、外箱１のフレーム５部位に設けた制御装置３２に接続されている（配線については図示省略）。そして、制御装置３２を介してモータ１０、送風機１８、ヒータ１９等が駆動される。
【００２３】
なお、具体的には操作レバー２７を下方に動かすとモータ１０オンにより巻き取りドラム１２が回転して内箱２が下降し、操作レバー２７を上向きに動かすと内箱２が上昇する。
【００２４】
次に、扉３を駆動するためのリンク３３および前述したヒンジ６（トルクヒンジ）等について説明する。
【００２５】
本実施形態では、内箱２と扉３とが、外箱１と内箱２との各側板１ｃ，２ｃ間に形成される側方空間８に配設した１対のリンク３３によって連結されている。各リンク３３は、各３本ずつのアーム、すなわち第１アーム３４，第２アーム３５および第３アーム３６により構成されている。第１アーム３４は内箱２の側板２ｃに一端を固定ピン３７によって取付けられた垂直な固定アームである。この第１アーム３４の上端に第２アーム３５が支点ピン３８により回動可能に連結されている。第２アームは第１アームより長く、内箱２が外箱１に収納された図３の状態においては、支点ピン３８を中心として下向きに配置され、下端が円運動できるようになっており、扉３側に傾く傾斜をもつ状態に設定されている。また、第３アーム３６は、く字状に屈曲した形状を有する短いアームであり、一端が第２アーム３５の下端に支点ピン３９を介して連結され、他端が扉３から突出したブラケット４０に支点ピン４１を介して連結されている。この第３アーム３６は、図３における扉３の閉状態においては上端が第２アーム３５と略直線状態となる設定としてある。
【００２６】
そして、前述した電動式昇降機構によって内箱２が図３の状態から下降する場合には、内箱２とともに第１アーム３４が下降するので、第２、第３アーム３５，３６を介して扉３が前方（図３の左方）に押動される状態となり、次第に扉３が開動作する。
【００２７】
ところで、扉３を外箱１に連結しているヒンジ６は、一定以上のトルク作用時にのみ扉３の開閉を許容する回転抵抗付きのトルクヒンジであり、扉３の材質、重量等を考慮して、扉３に大きい地震荷重が作用した程度では扉３の自然回動を阻止できるようになっている。本実施形態では、リンク３３による押動力が地震荷重以上で扉３に作用し、これにより扉３が開動作する。
【００２８】
図５の仮想線は、このような内箱２の下降およびそれに基づくリンク３３の押動力によって扉３が少し開いた状態を示している。この状態から、さらに内箱２が下降すると、図６に仮想線で示す状態を経て、最終的には同図に実線で示すように、内箱２の最大下降状態および扉３の最大開状態となる。この場合、内箱２は連続的に下降動作して最大下降状態となるが、扉３は内箱２が下降するストロークの途中位置で最大開き角度となって停止し、その後は内箱２の下降のみが行なわれる構成としてある。
【００２９】
すなわち、リンク３３の第３アーム３６は、図６に「イ」で示す内箱２の中間下降位置において略水平状態となり、その後は扉３側の支点ピン４１を中心として下向きとなるので、この位置からリンク３３の押動力が扉３に作用しなくなる。また、本実施形態では、ヒンジ６が扉３の荷重のみによっては回動しないトルク設定としてある。これにより、扉３はリンク３３からの押動力を失っても閉方向に回動することはなく、図６に実線で示す最大開き位置で停止する。したがって、内箱２が図６に仮想線「イ」で示す下降途中位置から、実線で示す最大下降位置までは、扉３が最大限開いたままの状態で内箱２の下降のみが行なわれる。
【００３０】
一方、内箱２が最大限下降した位置から上昇する場合には、上記と逆の作用が行なわれる。すなわち、図６に実線で示す最大下降位置から仮想線で示す中間位置「イ」まで内箱２が上昇する際には、第３アーム３６から扉３に何らの作用力も働かない。そして、「イ」の位置を過ぎて内箱２が上昇する際には、第３アーム３６により扉３に引張り力が作用し始める。したがって、その位置から扉３に対してリンク３３の引張り力が生じ、ヒンジ６の持つ回動阻止力を超えた力が作用して扉３は閉方向に回動する。
【００３１】
そして、図５の仮想線の状態を経て、扉３が同図に実線で示す全閉状態となるまで、リンク３３の引張り力によって扉３が回動する。この全閉状態では、モータ１０の停止作用によって、リンク３３による扉３への引張り力が持続する。したがって、扉３の全閉状態においては、ヒンジ６による扉回動阻止作用に加えて、リンク３３による引張り力も作用することにより、扉３は強力に全閉状態を維持することができる。
【００３２】
以上の機能に基づき、食器乾燥機としての使用状態について説明すると、以下の通りである。
【００３３】
洗浄後の食器類を内箱２に収納する場合には、図１および図６の実線に示すように、内箱２が最大限下降するとともに扉３が最大限開いた状態で食器類を受け具７に支持させる。そして、操作レバー２７を上向きに操作することにより内箱２を上昇させる。この場合、食器類が内箱２の前方に突出していたとしても、前述したように内箱２が一定高さ位置（図６の「イ」の位置）に上昇するまでは扉３が閉動作しないので、食器類の多少の前方突出があっても扉３との干渉等の問題は何ら生じない。
【００３４】
そして、内箱２が一定高さ位置まで上昇した後、扉３が閉じ始めるので、突出していた食器類があったとしても、閉動作する扉３によって食器類が内箱２の内部方向に押し込まれるようになる。したがって、ある程度の食器類が前方に突出している場合でも、扉３によって食器類の配置修復が自動的に行なわれる。その状態で内箱２が最大上昇し、扉３が全閉状態となって外箱に収納された後は、スイッチ操作により送風機１８、ヒータ１９等を起動させ、閉じた内箱２の内部空間において食器類の温風による乾燥作用を行なうことができる。
【００３５】
以上の本実施形態によると、外箱１の側板１ｃと内箱２の側板２ｃとの間に形成された空間８を有効に利用してリンク３３を設けた簡易な構成により、内箱２の昇降と扉３の開閉とを連動させることができ、構成の簡素化、低コスト化等が図れるとともに、機能性を高めることができる。また、扉検出用のセンサ等を使用する必要がなく、高精度の動作を行なわせることができ、信頼性向上が図れ、故障等による不具合も生じない。
【００３６】
また、扉３を回動支持するためのヒンジ６をトルクヒンジとするとともに、内箱２の昇降に伴って上昇時に扉３を閉方向に回動できる構成としたことにより、地震等の際の大荷重に対しても扉閉状態を確実に保持することができ、食器等が外部に飛散することを有効に防止することができる。
【００３７】
しかも、リンク３３により、内箱２の上昇ストロークの途中位置で扉３を最大開き角度位置で停止させる構成としたことにより、複雑な手段を用いる必要なく扉３と内箱２の前方に突出する食器類との干渉を確実に防止することができ、さらに積極的に前方に突出した食器類を内箱２内方に押し込む等の利便性も得ることができる。
【００３８】
なお、本実施形態においては、扉３、ヒンジ６またはリンク３３等の交換その他のメンテナンスを行なう場合、ヒンジ６およびリンク３３のアームを外して行なうことができる（例えばリンク３３のアームについては、第２アーム３５の両端の支点ピン３８，３９等をねじ構成としておき、これを外す）。
【００３９】
また、図７および図８に他の実施形態として示すように、扉３を扉板３ａおよびそれを囲む上下左右の扉枠３ｂによって構成し、上下左右いずれかの扉枠３ｂを止着するためのねじ３ｃを外すことによって扉３分解できるようにしてもよい。
【００４０】
このような構成とすることにより、扉３の交換、補修等を容易に行なうことができる。
【００４１】
なお、本発明は以上の実施形態に限らず、種々の変形、応用等が可能である。
【００４２】
例えばリンク３３による扉３の開動作をより円滑に行なうため、速度制御機能を付加してもよい。
【００４３】
また、リンク３３の逆動作等を防止するために、リンク３３を構成するアームの連結部等に、逆動作防止用のストッパを設けてもよく、またトルクヒンジとともに、またはこれに代えて、扉位置固定用としてガスダンパあるいはスプリング等を設けることもできる。
【００４４】
さらに、内箱２の昇降機構をベルト式に代えてワイヤあるいはチェーン式としたり、他の異なる手段を使用することもできる。
【００４５】
さらにまた、食器乾燥機以外の棚等に適用することも可能である。
【００４６】
【発明の効果】
以上で詳述したように、本発明に係る扉付き昇降ユニットによれば、キャビネット内の空間を有効に利用した簡易な構成によって、内箱の昇降と扉の開閉とを連動させることができ、かつ複雑な手段を用いる必要なく扉と内箱前方に突出する収納物との干渉を確実に防止することができ、また内箱上昇の際に扉を利用して収納物の押し込み作用等も行なえ、さらに地震等の際に扉の閉状態を確実に保持でき、収納物の飛散防止も有効に図れる等の優れた効果が奏される。
【図面の簡単な説明】
【図１】本発明に係る扉付き昇降ユニットの一実施形態を示す斜視図。
【図２】図１に示した扉付き昇降ユニットの前面を開放した状態で示す正面図。
【図３】図１に示した扉付き昇降ユニットの側断面図。
【図４】図１に示した扉付き昇降ユニットの横断面図。
【図５】図１に示した扉付き昇降ユニットの作用説明図。
【図６】図１に示した扉付き昇降ユニットの作用説明図。
【図７】本発明の他の実施形態を示す斜視図。
【図８】前記他の実施形態における扉構成を説明するための側面図。
【符号の説明】
１  外箱
２  内箱
３  扉
４  ガイドレール
４ａ  スライダ
５  フレーム
６  ヒンジ
７  受具
８  側方空間
９  昇降機構
１０  モータ
１１  動力伝達機構
１２  巻取りドラム
１３  ベルト
１４  ベルトローラ
１５  ブラケット
１６  吊上げローラ
１７  止着具
１８  送風機
１９  ヒータ
２０  ダクト
２１  送風口
２２  ドレン受け
２３  排水口
２４  ドレン貯め
２５  ランプ、入力スイッチ等
２６  パネル
２７  操作レバー
２８  支点ピン
２９  アクチュエータ
３０，３１  リミットスイッチ
３２  制御装置
３３  リンク
３４  第１アーム
３５  第２アーム
３６  第３アーム
３７  固定ピン
３８  支点ピン
３９  支点ピン
４０  ブラケット
４１  支点ピン
【図１】
0003742750.tif 000002
【図２】
0003742750.tif 000003
【図３】
0003742750.tif 000004
【図４】
0003742750.tif 000005
【図５】
0003742750.tif 000006
【図６】
0003742750.tif 000007
【図７】
0003742750.tif 000008
【図８】
0003742750.tif 000009